(57)【要約】【課題】隣接する間仕切パネルの透光パネル部材同士の連続性を演出できる移動間仕切装置を提供する。【解決手段】天井に設けられる誘導路に吊支されて移動可能な間仕切パネル１を複数連接させて空間を仕切る移動間仕切装置１０であって、間仕切パネル１は、一対の透光パネル部材４，４の内側に上下方向に亘って延びる一対の縦杆部材７，７と、一対の縦杆部材７，７同士を連結する上下の横杆部材６，８と、を備え、上下の横杆部材６，８は、一対の透光パネル部材４，４の間に位置する突出部６１，８１と、突出部６１，８１から一対の透光パネル部材４，４の上下端面４ｃ，４ｄに沿ってそれぞれ延出する延出部６２，８２と、を有し、一対の縦杆部材７，７と一対の透光パネル部材４，４の対向内面４ａ，４ａとは、固着されている。【選択図】図３
2019218692.tif 000002
【特許請求の範囲】
【請求項１】
天井に設けられる誘導路に吊支部材を介して吊支され該誘導路に沿って移動可能であり、間隔をおいて対向して配置される一対の透光パネル部材を有する間仕切パネルを複数連接させて空間を仕切る移動間仕切装置であって、
前記間仕切パネルは、前記一対の透光パネル部材の内側に上下方向に亘って延びる一対の縦杆部材と、前記一対の縦杆部材同士を連結する上下の横杆部材と、を備え、
前記上下の横杆部材は、前記一対の透光パネル部材の間に位置する突出部と、前記突出部から前記一対の透光パネル部材の上下端面に沿ってそれぞれ延出する延出部と、を有し、
前記一対の縦杆部材と前記一対の透光パネル部材の対向内面とは、固着されていることを特徴とする移動間仕切装置。
【請求項２】
前記横杆部材の前記延出部には、前記透光パネル部材の表面に沿って延びるカバー部材が取り付けられることを特徴とする請求項１に記載の移動間仕切装置。
【請求項３】
前記カバー部材は、前記横杆部材の前記延出部に対して上下方向から締結手段により固定されていることを特徴とする請求項２に記載の移動間仕切装置。
【請求項４】
前記一対の縦杆部材には、前記一対の透光パネル部材の側端面に亘って延びる縁部を有する側部カバー部材が固定されることを特徴とする請求項１ないし３のいずれかに記載の移動間仕切装置。
【請求項５】
前記側部カバー部材の前記縁部と前記一対の透光パネル部材の側端面とが固着されていることを特徴とする請求項４に記載の移動間仕切装置。
【請求項６】
前記一対の縦杆部材と前記上下の横杆部材とが固定されて矩形に組まれた枠部材に対して、前記一対の透光パネル部材が取り付けられていることを特徴とする請求項１ないし５のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような間仕切パネルにあっては、連接された際に室内が天井から床に亘って仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される間仕切パネルは、間仕切パネルの厚み方向に対向して配設される一対の透光パネル部材と、一対の透光パネル部材が取付けられる四方枠形状の枠部材と、を備えており、枠部材は一対の透光パネル部材を支持した状態で、吊支部材により天井に設けられるレールに吊支されている。
【０００４】
特許文献１のように、透光パネル部材がガラス板等である場合には、透光パネル部材にフックを直接固定することが困難であることから、透光パネル部材の四辺を横サッシ及び縦サッシにより取り囲み、この縦サッシに設けられた係止孔に、枠部材を構成する縦杆部材に設けられたフックを係止させることで、枠部材に対して一対の透光パネル部材を支持させている。
【先行技術文献】
【特許文献】
【０００５】
【特許文献１】特許第４９８１５８２号公報（第６頁、第３図）
【発明の概要】
【発明が解決しようとする課題】
【０００６】
しかしながら、特許文献１にあっては、透光パネル部材の四辺が横サッシ及び縦サッシにより取り囲まれているため、間仕切パネルを連接したときに、隣接する透光パネル部材同士の間に縦サッシが位置し、透光パネル部材同士が連接方向において分断された印象を与えてしまい、室内空間の開放感を十分に演出できないという問題がある。
【０００７】
本発明は、このような問題点に着目してなされたもので、隣接する間仕切パネルの透光パネル部材同士の連続性を演出できる移動間仕切装置を提供することを目的とする。
【課題を解決するための手段】
【０００８】
前記課題を解決するために、本発明の移動間仕切装置は、
天井に設けられる誘導路に吊支部材を介して吊支され該誘導路に沿って移動可能であり、間隔をおいて対向して配置される一対の透光パネル部材を有する間仕切パネルを複数連接させて空間を仕切る移動間仕切装置であって、
前記間仕切パネルは、前記一対の透光パネル部材の内側に上下方向に亘って延びる一対の縦杆部材と、前記一対の縦杆部材同士を連結する上下の横杆部材と、を備え、
前記上下の横杆部材は、前記一対の透光パネル部材の間に位置する突出部と、前記突出部から前記一対の透光パネル部材の上下端面に沿ってそれぞれ延出する延出部と、を有し、
前記一対の縦杆部材と前記一対の透光パネル部材の対向内面とは、固着されていることを特徴としている。
この特徴によれば、透光パネル部材は、縦杆部材に固着されることで、透光パネル部材の側端から縦杆部材を連接方向に露出させない構造にすることができ、加えて透光パネル部材は、上下の横杆部材に形成される突出部により対向方向の距離が維持され、かつ延出部により縦杆部材及び横杆部材に対して傾き無く位置決めされるため、隣接する間仕切パネルの透光パネル部材同士を近付けて配置して連続性を演出させることができる。
【０００９】
前記横杆部材の前記延出部には、前記透光パネル部材の表面に沿って延びるカバー部材が取り付けられることを特徴としている。
この特徴によれば、透光パネル部材は横杆部材の突出部とカバー部材とにより表裏から挟まれるため、縦杆部材及び横杆部材に対して確実に保持できる。
【００１０】
前記カバー部材は、前記横杆部材の前記延出部に対して上下方向から締結手段により固定されていることを特徴としている。
この特徴によれば、カバー部材が上下方向から締結手段により延出部に固定されることから、間仕切パネルの表面側からカバー部材の締結構造が見え難く、美観に優れる。
【００１１】
前記一対の縦杆部材には、前記一対の透光パネル部材の側端面に亘って延びる縁部を有する側部カバー部材が固定されることを特徴としている。
この特徴によれば、側部カバー部材により一対の透光パネル部材の側端面を保護することができる。
【００１２】
前記側部カバー部材の前記縁部と前記一対の透光パネル部材の側端面とが固着されていることを特徴としている。
この特徴によれば、側部カバー部材の縁部が透光パネル部材の側端面に固着されて一体化されることで、側部カバー部材の縁部の構造強度が高くなるため、側部カバー部材の縁部を薄く形成し、間仕切パネルの透光パネル部材同士の連続性を阻害しにくくすることができる。
【００１３】
前記一対の縦杆部材と前記上下の横杆部材とが固定されて矩形に組まれた枠部材に対して、前記一対の透光パネル部材が取り付けられていることを特徴としている。
この特徴によれば、間仕切パネルの組み立て時には、矩形の枠部材に透光パネル部材の周端を全周に亘って載置させることができるため、透光パネル部材のたわみが抑えられ組み立て作業を行いやすい。
【図面の簡単な説明】
【００１４】
【図１】本発明の実施例における移動間仕切装置を示す正面図である。
【図２】パネル本体の構造を示す分解斜視図である。
【図３】間仕切パネルの構造を示す分解斜視図である。
【図４】上部閉塞部材及び下部閉塞部材の収納状態を示す縦断面図である。
【図５】間仕切パネルの連接箇所を示す上面視における断面図である。
【図６】上部フレーム及び下部フレームと縦フレームとの連結構造を拡大して示す分解斜視図である。
【図７】上部フレームと縦フレームとの連結構造を拡大して示す上面図である。
【図８】上部フレームと縦フレームとの連結構造を拡大して示す側面図である。
【図９】パネル本体の組み立て手順を示す斜視図である。
【図１０】上部フレーム及び下部フレームへのカバー部材の取付け手順、構造を示す縦断面図である。
【発明を実施するための形態】
【００１５】
本発明に係る移動間仕切装置を実施するための形態を実施例に基づいて以下に説明する。
【実施例】
【００１６】
実施例に係る移動間仕切装置につき、図１から図１０を参照して説明する。以下、図１の紙面手前側及び図４の紙面右側を移動間仕切装置の正面側（前方側）とし、その前方側から見たときの上下左右方向を基準として説明する。
【００１７】
移動間仕切装置１０は、例えば、オフィス、会議室、ショールーム、店舗等の建物内の室内を所定の区画に仕切るために用いられるものであり、図１に示されるように、本実施例では、複数の間仕切パネル１，１，…を組み合わせて構成されている。
【００１８】
移動間仕切装置１０は、室内空間の天井面Ｒに設けられるレール３（誘導路）に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１及び下部閉塞部材１２がレール３及び床面Ｆに向けて押し付けられることにより天井面Ｒから床面Ｆに亘って室内空間を仕切ることができるようになっている。
【００１９】
図２に示されるように、間仕切パネル１は、前後に間隔をおいて対向配置される一対のガラスパネル４，４（透光パネル部材）と、ガラスパネル４，４を一体に保持する枠部材５とが一体化されて構成される二重ガラスパネル構造を成すパネル本体３０を備えている。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２０】
図３に示されるように、パネル本体３０を構成する枠部材５は、上部フレーム６（横杆部材）、縦フレーム７，７（縦杆部材）及び下部フレーム８（横杆部材）とから構成されている。上部フレーム６と下部フレーム８とには、上部閉塞部材１１及び下部閉塞部材１２とが収納されている（図４参照）。上部フレーム６と上部閉塞部材１１との間及び下部フレーム８と下部閉塞部材１２との間には、図示しない進退機構が配置されており、上部閉塞部材１１または下部閉塞部材１２とそれぞれに対応する各進退機構とが一体化されて上部閉塞機構と下部部閉塞機構とがそれぞれ構成されている。図４に示されるように、これら上部閉塞部材１１及び下部閉塞部材１２とは、進退機構によりレール３及び床面Ｆに対して進退動作し、パネル本体３０とレール３及び床面Ｆとの間を遮蔽可能となっている。
【００２１】
図３及び図４に示されるように、枠部材５は、ガラスパネル４，４の上下方向に亘って延び、該一対のガラスパネル４，４の側端縁に沿って配置される一対の縦フレーム７，７と、一対の縦フレーム７，７の上端部と下端部をそれぞれ接続する上部フレーム６と下部フレーム８と、により四方枠形状に構成されている。尚、ガラスパネル４，４と枠部材５との接続については、後に詳述する。
【００２２】
縦フレーム７は、間仕切パネル１の上下方向に延びる被覆部材７０と、間仕切パネル１の上下方向に延び被覆部材７０により被覆される芯部材７１とから、左右方向に厚みを有する板状に構成され、ガラスパネル４，４の間に配設されている。被覆部材７０は、アルミ合金等の金属製の押出成形品であり、芯部材７１は、左右方向に厚みを有する鋼製の板材である。
【００２３】
また、縦フレーム７，７の側部には、それぞれ側部カバー部材７６，７７が取付けられている。図５に示されるように、側部カバー部材７６，７７は、縦フレーム７，７に固定される基部７６ａ，７７ａと、基部７６ａ，７７ａからガラスパネル４，４の側端面４ｂ，４ｂにそれぞれ沿って延びる縁部７６ｂ，７７ｂとを備えて構成されており、縁部７６ｂ，７７ｂがガラスパネル４，４の側端面４ｂ，４ｂをそれぞれ保護するようになっている。
【００２４】
側部カバー部材７６，７７の縁部７６ｂ，７７ｂと一対のガラスパネル４，４の側端面４ｂ，４ｂとは両面テープ７５，７５で固着されている。これによれば、側部カバー部材７６，７７の縁部７６ｂ，７７ｂがガラスパネル４，４の側端面４ｂ，４ｂに固着されて一体化されることで、側部カバー部材７６，７７の縁部７６ｂ，７７ｂの構造強度が高くなるため、側部カバー部材７６，７７の縁部７６ｂ，７７ｂを薄く形成し、連接される間仕切パネル１，１，…のガラスパネル４，４，…同士の連続性を阻害しにくくすることができる。
【００２５】
図８に示されるように、側部カバー部材７６は、基部７６ａにはガラスパネル４側に凹む凹嵌合部７６ｃを有し、側部カバー部材７７は、凹嵌合部７６ｃに嵌合可能な凸嵌合部７７ｃを有している。また、側部カバー部材７６の凹嵌合部７６ｃにはゴム等の弾性部材７６ｄ（図９参照）が設けられており、隣接した間仕切パネル１，１が左右方向に連設される際には、側部カバー部材７６の凹嵌合部７６ｃと側部カバー部材７７の凸嵌合部７７ｃと嵌合により該弾性部材７６ｄが圧接され、隣接する間仕切パネル１，１間における密閉性及び遮音性が高められるとともに、緩衝機能を備えている。
【００２６】
図４と図６に示されるように、上部フレーム６は、一対のガラスパネル４，４の間に位置する突出部６１と、突出部６１からガラスパネル４，４の上端面４ｃに沿ってそれぞれ延出する延出部６２，６２と、上面側の前後略中央部に長手方向に沿って設けられ上部閉塞機構を収容する上部チャンネル部６３と、を備えている。尚、突出部６１の前後方向の厚みは、縦フレーム７の前後方向の厚みと略同寸法となっている。
【００２７】
また、図６と図７に示されるように、上部フレーム６は、左右方向に貫通して延びる溝６ｄを備え、上部フレーム６の左右両端部には、鋼製の上部芯部材６４，６４（左側のみ図示）が固定されている。詳しくは、溝６ｄを構成する上壁部６ｆには、その前後方向中央部に左右方向に沿って切り欠かれたスリット６ｇが形成されており、前後に分断されている。スリット６ｇの左右端部には、スリット６ｇの左右方向中央部よりも前後方向に幅広な幅広部６ｈが形成されている。また、上部芯部材６４は、左右方向に延びる基部６４ａと、該基部６４ａの左右方向略中央部には、上方向に突出し吊支部材９を接続可能な筒状の接続部６４ｂと、基部６４ａにおける接続部６４ｂよりも右側に設けられるネジ孔６４ｃ，６４ｃと、が設けられている。上部芯部材６４の接続部６４ｂには、上部閉塞部材１１を介して吊支部材９が接続されている。
【００２８】
上部芯部材６４は、上部フレーム６の溝６ｄに挿入される。接続部６４ｂの外径は、スリット６ｇの幅広部６ｈの前後幅よりも小さく、スリット６ｇの左右方向中央部よりも大きいため、上部芯部材６４を溝６ｄに挿入したときに接続部６４ｂが幅広部６ｈの端部に接触することで、溝６ｄへの挿入深度が位置決めされる。
【００２９】
また、溝６ｄへの挿入深度が位置決めされた上部芯部材６４は、上壁部６ｆに接触した状態でネジ孔６４ｃ，６４ｃを用いて図示しないネジにより上部フレーム６と固定されており、上部芯部材６４と上壁部６ｆとが上下に相対移動することが防止されている。尚、右側の上部芯部材６４も左側の上部芯部材６４と同様の形態で上部フレーム６に固定されている（図示略）。
【００３０】
図４と図６に戻って、下部フレーム８は、一対のガラスパネル４，４の間に位置する突出部８１と、突出部８１からガラスパネル４，４の下端面４ｄに沿ってそれぞれ延出する延出部８２と、下面側の前後略中央部に長手方向に沿って設けられ下部閉塞機構を収容する下部チャンネル部８３と、を備えている。
【００３１】
また、下部フレーム８は、上部フレーム６を略上下反転した構成であり、溝８ｄ、下壁部、スリット及び幅広部が形成されており、溝８ｄには下部芯部材８４が挿入され、下部芯部材８４は下部フレーム８の下壁部に接触した状態で図示しないネジにより下部フレーム８と固定されている。
【００３２】
次に、ガラスパネル４，４と枠部材５との接続について図５に基づいて説明する。図５に示されるように、縦フレーム７は、ガラスパネル４，４間に配置され、縦フレーム７を構成する被覆部材７０は、ガラスパネル４，４の対向面４ａ，４ａに沿って上下方向に延びる凸条からなる支持面７２ａ，７２ａが形成されており、ガラスパネル４，４と縦フレーム７とは、支持面７２ａ，７２ａに沿って上下方向に延びる２条の透明な両面テープ７５，７５により固着されている。
【００３３】
図６に示されるように、被覆部材７０により被覆される芯部材７１は、板状を成し、被覆部材７０よりも上下方向に長尺に構成され、その上下両端部が被覆部材７０よりも上下に突出している。上部フレーム６には、左右両端がそれぞれ左右両端から切り欠かれた形状の切欠部が形成さており、上面視Ｈ字状をなしている（図６参照）。芯部材７１の上端部は、上部フレーム６の上部チャンネル部６３（図６参照）よりも前後方向の寸法が小さく形成されており、上部フレーム６の前後方向略中央且つ上部フレーム６の長手方向内側に挿入された状態（図７と図８参照）で、上部フレーム６に対して該上部フレーム６の長手方向に延びる一対のネジ１３，１３で固定されている。
【００３４】
更に、芯部材７１の上端部は、当該上端部の外側を覆う上面視略コ字状の上部カバー７８とともに、上部フレーム６の長手方向に延びるネジ１５で上部フレーム６に予め固定されている鋼製の上部芯部材６４に対して固定される。このように、芯部材７１の上端部が上部フレーム６と、上部フレーム６に予め固定されている鋼製の上部芯部材６４とに対して固定されることで、上部フレーム６と縦フレーム７とが連結されている。尚、図８においては、説明の便宜上、上部カバー７８の構成の図示を省略している。
【００３５】
また、下部フレーム８と縦フレーム７との連結構造に関しても、上部フレーム６と縦フレーム７との連結構造と同様に、縦フレーム７を構成する芯部材７１の下端部が下部フレーム８と、下部フレーム８に予め固定されている鋼製の下部芯部材８４とに対して固定される構成となっている。
【００３６】
上記したように、枠部材５は、剛性の高い鋼製の上部芯部材６４と芯部材７１とがＬ字状に連結されることにより、上部フレーム６と縦フレーム７との連結構造の構造強度を確保し、縦フレーム７，７により固着されるガラスパネル４，４の荷重を上部芯部材６４，６４及び芯部材７１，７１により支持している。すなわち、縦フレーム７，７と上部フレーム６とで実質的にガラスパネル４，４を支持している。そして、下部フレーム８は、ガラスパネル４，４の荷重を支持するため機能を必要としておらず、下部フレーム８を小さく構成することができる。
【００３７】
パネル本体３０の組み立ては、パネル本体３０が大型であることに加え、ガラスパネル４の重量が大きいことから、ガラスパネル４と枠部材５とを図示しない作業台に寝かせた状態で行われる。図９（ａ）に示されるように、まず、一方のガラスパネル４を作業台に寝かせる。
【００３８】
次いで図９（ｂ）に示されるように、一方のガラスパネル４の上に、上部フレーム６と、縦フレーム７，７と下部フレーム８とを連結して成る枠部材５を重ねる。一方のガラスパネル４の上に枠部材５を重ねる際には、ガラスパネル４と縦フレーム７，７とを両面テープ７５，７５により固着させる。両面テープ７５，７５による固着に際して、ガラスパネル４の上端面４ｃと下端面４ｄとを上部フレーム６の延出部６２と下部フレーム８の延出部８２とにそれぞれ沿わせる（図１０参照）ことにより、ガラスパネル４と枠部材５との水平方向の相対位置、特に傾斜を防止するように位置決めすることができる。
【００３９】
最後に、図９（ｃ）に示されるように、枠部材５の上に、他方のガラスパネル４を重ね、ガラスパネル４と縦フレーム７，７とを両面テープ７５，７５により固着させる。一方のガラスパネル４の場合と同様に、ガラスパネル４の上端面４ｃと下端面４ｄとを上部フレーム６の延出部６２と下部フレーム８の延出部８２とにそれぞれ沿わせることにより、ガラスパネル４と枠部材５との水平方向の相対位置、特に傾斜を防止するように位置決めすることができる。また、矩形の枠部材５に他方のガラスパネル４の周端を全周に亘って載置させることができるため、ガラスパネル４のたわみが抑えられ、ガラスパネル４と縦フレーム７，７との固着や位置合わせ等の組み立て作業を行いやすい。
【００４０】
図１０（ａ）に示されるように、延出部６２は、上部チャンネル部６３からガラスパネル４側に延出して断面視で略ロ字状の中空略矩形状に形成されており、上下に延びる壁面６２ａは、ガラスパネル４の表面４ｅと略平行に形成されている。また、壁面６２ａの下端には前後に延びる規制面６２ｂが形成されており、規制面６２ｂはガラスパネル４の前後方向の厚みと略同寸に形成されている。更に、壁面６２ａの上端には規制面６２ｂと平行に形成された被固定面６２ｃが形成されている。下部フレーム８側の延出部８２は、延出部６２の上下対称形状となっており、壁面８２ａと規制面８２ｂと被固定面８２ｃが形成されている。
【００４１】
図１０（ｂ）に示されるように、上部フレーム６の延出部６２と下部フレーム８の延出部８２とには、ガラスパネル４，４の表面４ｅ，４ｅに沿って延びるカバー部材２０，２０がそれぞれ取り付けられる。
【００４２】
カバー部材２０は、アルミの押出成形で形成されており、延出部６２の壁面６２ａとガラスパネル４の表面４ｅとに沿う形状を成すカバー片２０ａと、カバー片２０ａに直交して延設された固定片２０ｂとを備え、側面視略ト字状をなしている。固定片２０ｂは、延出部６２の被固定面６２ｃに沿う形状となっている。また、固定片２０ｂには上下方向に貫通する貫通孔２０ｄが形成され、延出部６２の被固定面６２ｃにはネジ孔６２ｄが形成され、これら貫通孔２０ｄとネジ孔６２ｄとに上方から挿入されるネジ（締結手段）２１により、固定片２０ｂと被固定面６２ｃとが固定される。下部フレーム８側のカバー部材２０と延出部８２とに関しても、同様の構成で固定される。
【００４３】
以上説明したように、縦フレーム７，７をガラスパネル４，４の間に配置させ、かつこれら縦フレーム７，７とガラスパネル４，４とを固着させることで、ガラスパネル４，４の側端から縦フレーム７，７が連接方向に露出させない構造にすることができる。加えて、ガラスパネル４，４は、上部フレーム６側の突出部６１と下部フレーム８側の突出部８１とにより対向方向の距離が維持され、かつ上部フレーム６側の延出部６２と下部フレーム８側の延出部８２とにより枠部材５に対して傾き無く位置決めされる。そのため、隣接する間仕切パネル１，１，…のガラスパネル４，４，…同士を近付けて配置でき、ガラスパネル４，４，…の連続性を演出させることができる。
【００４４】
また、上部フレーム６の延出部６２と下部フレーム８の延出部８２とには、ガラスパネル４，４の表面４ｅ，４ｅに沿って延びるカバー部材２０，２０がそれぞれ取り付けられるため、ガラスパネル４，４は上部フレーム６の突出部６１及び下部フレーム８側の突出部８１と、カバー部材２０，２０のカバー片２０ａ，２０ａとにより表裏から挟まれるため、枠部材５に対して確実に保持される。
【００４５】
また、カバー部材２０，２０は、固定片２０ｂに形成された貫通孔２０ｄと上部フレーム６の延出部６２の被固定面６２ｃ及び下部フレーム８の延出部８２の被固定面８２ｃに形成されたネジ孔８２ｄとに上下方から挿入されるネジ２１により、上部フレーム６と下部フレーム８とにそれぞれ固定されている。そのため、間仕切パネル１の表面側からカバー部材２０の締結構造が見え難く、美観に優れる。
【００４６】
また、カバー部材２０，２０を上部フレーム６及び下部フレーム８と別体とすることで、ガラスパネル４，４を上部フレーム６の突出部６１及び下部フレーム８側の突出部８１と、カバー部材２０，２０のカバー片２０ａ，２０ａとにより表裏から挟んで確実に保持できる構造としながら、図９で示したように、順番に積層させて組み立てを行うことができる。
【００４７】
また、縦フレーム７，７において、芯部材７１，７１を鋼製等の剛性の高い素材により構成し、芯部材７１，７１を薄く構成したアルミ合金製の被覆部材７０，７０で被覆することにより、縦フレーム７，７を左右方向の厚みの薄い板状に構成しつつ、芯部材７１，７１により縦フレーム７，７の縦方向の強度を確保でき、パネル本体３０のパネル面における縦フレーム７，７の占める領域を相対的に小さくし、目立ちにくくすることができる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、本実施例では、上部フレーム６と縦フレーム７，７と下部フレーム８とを固定して予め枠部材５を構成した状態で枠部材５に対してガラスパネル４，４を固定する形態を例示したが、ガラスパネル４，４に縦フレーム７，７を固定した後に、縦フレーム７，７と上部フレーム６及び下部フレーム８とを固定させる形態であってもよい。
【００５０】
また、前記実施例では、枠部材５を構成する一対の縦フレーム７，７に対して一対のガラスパネル４，４がそれぞれ両面テープ７５，７５により固着されて支持されるものについて説明したが、これに限らず、ガラスパネル４，４は、縦フレーム７，７だけでなく、上部フレーム６と下部フレーム８とに対しても両面テープにより固着されていてもよい。また、上部フレーム６と下部フレーム８及び縦フレーム７，７に対するガラスパネル４，４の固着は、両面テープによるもの限らず、接着剤や粘着剤が使用されてもよい。また、一対のガラスパネル４，４と縦フレーム７，７とを固着する粘着材は、上下方向に分割されていてもよい。
【００５１】
また、前記実施例では、間仕切パネル１が上下に上部閉塞部材１１及び下部閉塞部材１２を備えて、パネル本体３０とレール３及び床面Ｆとの間を遮蔽可能とするものとして説明したが、このようにパネル本体３０とレール３及び床面Ｆとの間を遮蔽しない形態であれば、上部フレーム６と下部フレーム８とには、上部閉塞部材１１及び下部閉塞部材１２とが収納されていなくてもよい。
【００５２】
また、縦フレーム７，７をガラスパネル４，４の間に配置させ、かつこれら縦フレーム７，７とガラスパネル４，４とを固着させることで、ガラスパネル４，４の側端から縦フレーム７，７が連接方向に露出させないような構造を可能としているが、隣接する間仕切パネル１，１，…のガラスパネル４，４，…同士を近付けて配置できる範囲で、縦フレーム７，７はガラスパネル４，４の側端から若干突出する構成としてもよいことはいうまでもない。
【符号の説明】
【００５３】
１                間仕切パネル
３                レール（誘導路）
４                ガラスパネル（パネル部材）
５                枠部材（パネル部材）
６                上部フレーム（横杆部材）
７                縦フレーム
８                下部フレーム（横杆部材）
９                吊支部材
１０              移動間仕切装置
２０              カバー部材
２０ａ            カバー片
２０ｂ            固定片
２０ｄ            貫通孔
２１              ネジ（締結手段）
３０              パネル本体
６１              上部フレーム突出部
６２              上部フレーム延出部
６２ａ            壁面
６２ｂ            規制面
６２ｃ            被固定面
６２ｄ            ネジ孔（締結手段）
６４              上部芯部材
７５              両面テープ
７６              側部カバー部材
７６ｂ            縁部
７７              側部カバー部材
７７ｂ            縁部
８１              下部フレーム突出部
８２              下部フレーム延出部
６２ｄ            ネジ孔（締結手段）
Ｒ                天井面
Ｆ                床面
【図１】
2019218692.tif 000003
【図２】
2019218692.tif 000004
【図３】
2019218692.tif 000005
【図４】
2019218692.tif 000006
【図５】
2019218692.tif 000007
【図６】
2019218692.tif 000008
【図７】
2019218692.tif 000009
【図８】
2019218692.tif 000010
【図９】
2019218692.tif 000011
【図１０】
2019218692.tif 000012